(57)【要約】【課題】ヘッドアップディスプレイ及びスクリーンによる車両情報表示を共に実施する場合でも表示器を共用とすることで装置全体の省スペース化を図る。   【解決手段】第一の表示光を発する第一の表示部及び第二の表示光を発する第二の表示部を有する表示器と、前記第一の表示光を投影部材に投射して虚像を表示させる第一の光学部材と、前記第二の表示光をスクリーンの後面に投射して実像を表示させる第二の光学部材と、を有する車両用表示装置とする。【選択図】図１
2005153811.tif 000002
【特許請求の範囲】
【請求項１】
第一の表示光を発する第一の表示部及び第二の表示光を発する第二の表示部を有する表示器と、
前記第一の表示光を投影部材に投射して虚像を表示させる第一の光学部材と、前記第二の表示光をスクリーンの後面に投射して実像を表示させる第二の光学部材と、を有することを特徴とする車両用表示装置。
【請求項２】
前記表示器は、前記第一の表示部及び前記第二の表示部を照明する共通光源を有することを特徴とする請求項１に記載の車両用表示装置。
【請求項３】
前記表示器は、前記第一の表示部を照明する第一の光源と、前記第二の表示部を照明する第二の光源と、を有することを特徴とする請求項１に記載の車両用表示装置。
【請求項４】
前記第一の表示部と、前記第二の表示部の間から発光方向に遮光板を設けることを特徴とする請求項１から請求項３の何れかに記載の車両用表示装置。
【発明の詳細な説明】
【技術分野】
【０００１】
本発明は、車両用表示装置に関するものであり、特に、表示器が発する表示光を反射部材に反射させ、前記反射部材に投影される画像を視認する車両用表示装置に関するものである。
【背景技術】
【０００２】
従来、表示器が発した表示光を反射させて虚像を表示するヘッドアップディスプレイ装置が車両用表示装置として種々提案されており、例えば特許文献１に開示されている。ヘッドアップディスプレイ装置は、車両のダッシュボードに埋設される表示装置が投射する表示光を前記車両のフロントガラスで利用者の方向に反射させ、虚像を表示するものである。従来の指針直読式計器であるコンビネーションメータと比べ、運転者の視線移動量が少なくて済むため読み取り性に優れている。
【特許文献１】実開平４−５７８８２号公報
【０００３】
また、従来、特許文献２に開示されるような、メータケースの前面に装着したスクリーンにメータケース内に配置した投影器によって車両に必要な情報を投影して映し出す車両用表示装置がある。
【特許文献２】特開平６−２６２９６４号公報
【発明の開示】
【発明が解決しようとする課題】
【０００４】
しかしながら、ヘッドアップディスプレイ及びスクリーンによる車両情報表示を共に実施する場合、ダッシュボード内にヘッドアップディスプレイ表示を行う表示器及びスクリーン表示を行う投影器を共に設置しなければならず、設置にかなりのスペースを要する。また、表示する車両情報によっては、背景の道路と重畳するヘッドアップディスプレイ装置による車両前方への表示が不適切な場合がある。
【０００５】
本発明は前記問題点に着目し、表示器を共用とするヘッドアップディスプレイ及びスクリーンによる運転情報の表示を行い、構成部品を削減し、装置の省スペース化を実現し、かつ、運転情報の内容によって適切な表示形態を選択することを可能とする車両用表示装置を提供するものである。
【課題を解決するための手段】
【０００６】
本発明は、前述した課題を解決するため、第一の表示光を発する第一の表示部及び第二の表示光を発する第二の表示部を有する表示器と、
前記第一の表示光を投影部材に投射して虚像を表示させる第一の光学部材と、前記第二の表示光をスクリーンの後面に投射して実像を表示させる第二の光学部材と、を有するものである。
【０００７】
また、請求項２に記載の車両用表示装置のように、前記表示器は、前記第一の表示部及び前記第二の表示部を照明する共通光源を有するものである。
【０００８】
また、請求項３に記載の車両用表示装置のように、前記表示器は、前記第一の表示部を照明する第一の光源と、前記第二の表示部を照明する第二の光源と、を有するものである。
【０００９】
また、請求項４に記載の車両用表示装置のように、前記第一の表示部と、前記第二の表示部の間から発光方向に遮光板を設けるものである。
【発明の効果】
【００１０】
本発明は、ヘッドアップディスプレイ及びスクリーンによる車両情報表示のための表示光を発する表示器を共用にすることで、構成部品を削減し、装置の設置スペースを減少させ、かつ、運転情報によって適切な表示形態を選択することを可能とする。
【発明を実施するための最良の形態】
【００１１】
以下、添付図面に基づいて、本発明の実施形態を説明する。
【００１２】
図１乃至図３は、本発明の第一の実施形態を示す。表示装置１は、車両ＡのダッシュボードＤに埋設され、表示器２，凸レンズ３，凹面鏡（第一の光学部材）４，平面鏡（第二の光学部材）５及び遮光板６を有する。
【００１３】
表示器２は、車両Ａの速度，エンジンの回転数及び車両周辺状況等の運転情報を第一の表示部７ａ及び第二の表示部７ｂから発光する
表示光Ｌ１，Ｌ２によって表示するものであり、液晶表示素子２ａ，レンズ２ｂ及び発光ダイオード２ｃを有する。表示器２は、上半分を第一の表示部７ａとし、下半分を第二の表示部７ｂとする。第一の表示部７ａから発光する第一の表示光Ｌ１は、凹面鏡４で反射し、フロントガラス（投影部材）８に投射され、虚像９を表示する。第二の表示部７ｂから発光する第二の表示光Ｌ２は、凸レンズ３を介して平面鏡５で反射し、ダッシュボードＤに設けられたスクリーン１の後面に投射し、実像を表示する。
【００１４】
液晶表示素子２ａは、ＴＦＴ型の液晶パネルの前後両面に偏光板を貼着したものである。なお、表示器は、液晶表示素子２ａを用いた表示器２に限定されるものではなく、例えば、半導体上に設けられ、独立して動くミラーに光を照射し、反射した光を投影するＤＭＤ（Digital Micromirror Device）等の画像表示素子を用いた表示器であってもよい。
【００１５】
レンズ２ｂは、アクリルあるいはポリカーボネート等の透光性樹脂からなるものであり、発光ダイオード２ｃに対向する平面と、液晶表示素子２ａに対向する凸状曲面を有する凸レンズとなっている。
【００１６】
発光ダイオード２ｃは、白色に発光するものであり、凸レンズ３を介して、液晶表示素子２ａを透過照明する。
【００１７】
凹面鏡４は、第一の表示光Ｌ１を反射させ、車両Ａのフロントガラス８に投射する。凹面鏡４は、ポリカーボネート（ＰＣ）等の樹脂にアルミニウム（Ａｌ）を蒸着させ反射膜を形成したものである。凹面鏡４は、図示しない駆動機構により揺動可能になっており第一の表示光Ｌ１の投射角度を調節できる。
【００１８】
平面鏡５は、第二の表示光Ｌ２を反射させ，車両ＡのダッシュボードＤに設置されたスクリーン１０に投射する。凹面鏡４は、ポリカーボネート（ＰＣ）等の樹脂にアルミニウム（Ａｌ）を蒸着させ反射膜を形成したものである。
【００１９】
遮光板６は、第一の表示部７ａと第二の表示部７ｂの境から発光方向に設けられる。遮光板６を設けることで、第一，第二の表示部７ａ，７ｂから発光する表示光Ｌ１，Ｌ２が所定の凹面鏡４及び平面鏡５に投射されずに誤表示するのを防ぐことが可能になる。
【００２０】
図４及び図５は、本発明の第二の実施形態を示す。
【００２１】
通常ナビゲーションディスプレイは、ダッシュボードの中央に設置されているが、ディスプレイに車両の右前方の画像を表示する場合、運転手の視線は、ダッシュボードＤ中央に設けられたディスプレイに向かうため、運転手は、車両右前方を示す画像を理解しにくい。これを解決するため、第二の実施形態では、スクリーン１１，１２を２箇所、ダッシュボードＤの運転席正面の左右に設置する。これにより、車両右前方の画像は、運転席の右前方のダッシュボードＤ上に設けられたスクリーン１２に表示されるため、運転手は画像を理解しやすくなる。第二の表示部７ｂは第一の表示領域７ｃ及び第二の表示領域７ｄからなり、スクリーン１１，１２に夫々表示光を投射し、遮光板６を第一の表示部７ａ，第一の表示領域７ｃ及び第二の表示領域７ｄの境に設置する。
【００２２】
なお、本発明の実施形態では、上述した表示装置１を例に挙げて説明したが、本発明はこれに限定されるものではなく、その構成は同様の効果が得られるものであればよい。例えば、スクリーンの設置位置，形状及び数は任意である。
【００２３】
また、第一の表示部７ａからの第一の表示光Ｌ１を平面鏡５で反射させ、スクリーン１０に投射する形態でも、第二の表示部７ｂからの第二の表示光Ｌ２を凹面鏡４で反射して、フロントガラス８に投射する形態でもよい。
【００２４】
また、図６に示すように、第一の表示部及び第二の表示部が独立して設置され、共通光源２ｃ−１によって第一の表示部７ａ及び第二の表示部７ｂに照射してもよい。
【００２５】
また、図７に示すように、第一の表示部７ａを照明する第一の光源２ｃ−２と、第二の表示部７ｂを照明する第二の光源２ｃ−３を設置してもよい。
【００２６】
以上の構成をとる車両用表示装置１は、ヘッドアップディスプレイ及びスクリーンによる車両情報表示のための表示光Ｌ１，Ｌ２を発する表示器２を共用にすることで、構成部品を削減し、装置の設置スペースを減少させ、かつ、運転情報によって適切な表示形態を選択することが可能となる。
【図面の簡単な説明】
【００２７】
【図１】本発明の第一の実施形態を示す断面図。
【図２】同上実施形態を示すダッシュボードの正面図。
【図３】同上実施形態の表示部を示す図。
【図４】本発明の第二の実施形態を示すダッシュボードの正面図
【図５】同上実施形態の表示部を示す図。
【図６】本発明の第一の表示部及び第二の表示部が独立して設置される表示器を示す図。
【図７】本発明の第一の光源及び第二の光源が設置される表示器を示す図。
【符号の説明】
【００２８】
１  表示装置
２  表示器
２ｃ−１  共通光源
２ｃ−２  第一の光源
２ｃ−３  第二の光源
３  凸レンズ
４  凹面鏡（第一の光学部材）
５  平面鏡（第二の光学部材）
６  遮光板
８  フロントガラス（投影部材）
９  虚像
１０，１１，１２，    スクリーン
Ａ  車両
Ｄ  ダッシュボード
Ｌ１  第一の表示光
Ｌ２  第二の表示光
【図１】
2005153811.tif 000003
【図２】
2005153811.tif 000004
【図３】
2005153811.tif 000005
【図４】
2005153811.tif 000006
【図５】
2005153811.tif 000007
【図６】
2005153811.tif 000008
【図７】
2005153811.tif 000009